(57)【要約】【課題】本発明は、隔壁のチッピングにより蛍光体が飛散し、放電電極上へ付着し不灯になることを抑制し、ちらつきや不灯といった表示不良を軽減することを目的とする。【解決手段】本発明のプラズマディスプレイパネルは、複数の表示電極と複数の遮光層を配置した前面基板と、少なくとも表示電極と略平行方向に形成した隔壁を配置した背面基板とを有し、隔壁の頂部幅Ｗと、表示電極と遮光層の線中心距離Ｄが、０．５Ｗ≦Ｄ≦２Ｗであることを特徴とする。【選択図】図７
2009252622.tif 000002
【特許請求の範囲】
【請求項１】
複数の表示電極と複数の遮光層を配置した前面基板と、
少なくとも前記表示電極と略平行方向に形成した隔壁を配置した背面基板とを有し、
前記隔壁の頂部幅Ｗと、前記表示電極と前記遮光層の線中心距離Ｄが、
０．５Ｗ≦Ｄ≦２Ｗ
であることを特徴とするプラズマディスプレイパネル。
【請求項２】
前記表示電極は複数の走査電極と複数の維持電極とで構成され、前記維持電極と前記遮光層の線中心距離Ｄ１と、前記走査電極と前記遮光層の線中心距離Ｄ２が、
Ｄ１＜Ｄ２
であることを特徴とする請求項１記載のプラズマディスプレイパネル。
【請求項３】
前記表示電極が、前記維持電極と前記走査電極を２本ずつ交互に配置して構成されていることを特徴とする請求項１または請求項２記載のプラズマディスプレイパネル。
【請求項４】
前記維持電極と前記走査電極の本数が異なることを特徴とする請求項１または請求項２記載のプラズマディスプレイパネル。
【請求項５】
前記維持電極と前記走査電極の線幅が異なることを特徴とする請求項１または請求項２記載のプラズマディスプレイパネル。
【請求項６】
前記維持電極と前記走査電極の膜厚が異なることを特徴とする請求項１または請求項２記載のプラズマディスプレイパネル。
【発明の詳細な説明】
【技術分野】
【０００１】
本発明は、プラズマディスプレイパネルの隔壁及び表示電極に関する。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイなどの数多くのものがある。これらの表示デバイスの中でもプラズマディスプレイパネル（以下、ＰＤＰとする）は、自発光型で美しい画像表示ができ、大画面化が容易であるなどの理由から、視認性に優れた薄型表示デバイスとして注目されており、高精細化および大画面化に向けた開発が進められている。
【０００３】
ＰＤＰは表示電極、誘電体層、ＭｇＯによる保護層などの構成物を形成した前面板と、電極、隔壁、蛍光体層などの構成物を形成した背面板とを、内部に微小な放電セルを形成するように対向配置されるとともに、周囲を封着部材により封止されている。そして、その放電セルにネオン（Ｎｅ）およびキセノン（Ｘｅ）などを混合してなる放電ガスを例えば６６５００Ｐａ（約５００Ｔｏｒｒ）程度の圧力で封入している。
【０００４】
ここで前面板は、表示電極を覆って誘電体層を形成し、誘電体層を覆って保護層を形成しているが、表示電極としてその一部に膜厚の厚い金属電極を用いるために、表示電極位置の保護層が膨らみ前面板と背面板とを対向させたとき、この膨らんだ保護層の部分と隔壁とが局所的に接触する。このような状態でＰＤＰに振動や衝撃が加わると、保護層が接触している箇所の隔壁が一部欠損する場合があった。前面板の表示電極に対応する箇所の隔壁は個々の放電セルの放電領域近傍であるため、その放電セルの放電状態に影響したり、隣接する放電セルの誤放電、さらには蛍光体層上に隔壁の欠片が残ることによる発光時の点欠陥が発生していた。
【０００５】
この問題に対し、隔壁を２層構成とし、隔壁の上に酸化アルミニウムを主成分とする黒色ポーラス層を緩衝材として形成し、隔壁の欠損を抑制する方法などが開示されている（例えば、特許文献１参照）。
【特許文献１】特開２００４−１５８３４５号公報
【発明の開示】
【発明が解決しようとする課題】
【０００６】
ところで、ＰＤＰにおいては、近年、フルハイビジョン化や更に高精細なスーパーハイビジョン化が進んでいる。ＰＤＰの高精細化には、放電空間を形成する隔壁の幅を狭くする必要がある（以下、隔壁の狭幅化とする）。しかし、隔壁の狭幅化により、パネルへの衝撃や振動によって隔壁の一部が欠けてしまう不具合（以下、チッピングとする）が発生しやすくなり、隔壁に配置された蛍光体粉末が飛散し、放電電極上に付着することがある。結果、蛍光体が付着した放電セルの放電開始電圧が上昇し、設定電圧で放電が開始されず、画像表示時のちらつきや不灯などの表示不良を引き起こし、画質を低下させるという課題があった。
【０００７】
本発明はこのような現状に鑑みなされたもので、隔壁のチッピングにより蛍光体が飛散し、放電電極上へ付着し不灯になることを抑制し、ちらつきや不灯といった表示不良を軽減することを目的とする。
【課題を解決するための手段】
【０００８】
この課題を解決するために本発明のＰＤＰは、複数の表示電極と複数の遮光層を配置した前面基板と、少なくとも表示電極と略平行方向に形成した隔壁を配置した背面基板とを有し、隔壁の頂部幅Ｗと、表示電極と遮光層の線中心距離Ｄが、０．５Ｗ≦Ｄ≦２Ｗであることを特徴とする。
【０００９】
また、表示電極は複数の走査電極と複数の維持電極とで構成され、維持電極と遮光層の線中心距離Ｄ１と、走査電極と遮光層の線中心距離Ｄ２が、Ｄ１＜Ｄ２であってもよい。そして、表示電極が、維持電極と走査電極を２本ずつ交互に配置して構成されていてもよい。
【００１０】
また、維持電極と走査電極の本数が異なっていてもよく、維持電極と走査電極の線幅が異なっていてもよく、さらに維持電極と走査電極の膜厚が異なっていてもよい。
【発明の効果】
【００１１】
本発明によれば、衝撃や振動によるちらつきや不灯の発生を軽減させた高画質、高精細なＰＤＰを得ることができる。
【発明を実施するための最良の形態】
【００１２】
以下、本発明の一実施の形態によるＰＤＰについて、図１〜図１０を用いて説明するが、本発明の実施の態様はこれに限定されるものではない。
【００１３】
まず、ＰＤＰにおけるパネルの構造について図１を用いて説明する。
【００１４】
図１において、ＰＤＰ１は、前面板２と背面板１０とから構成される。前面板２は、フロート法により形成された硼珪素ナトリウム系ガラスなどの前面ガラス基板３上に、走査電極４と維持電極５とで対をなすストライプ状の複数の表示電極６が形成されている。また、隣接する表示電極４の間には、光遮蔽部となる遮光層７が形成されている。また、表示電極６と遮光層７とを覆って誘電体層８が形成され、さらに誘電体層８を覆って酸化マグネシウム（ＭｇＯ）からなる保護層９が形成されている。
【００１５】
一方、背面板１０は、背面ガラス基板１１上に、前面板２０の表示電極６と直交する方向にデータ電極１２が形成され、データ電極１２を覆って下地誘電体層１３が設けられている。また、下地誘電体層１３上には、例えばストライプ状の隔壁１４が設けられ、隔壁１４の側面と下地誘電体層１３の表面には蛍光体層３５が設けられている。蛍光体層１５は隣接する隔壁１４によって仕切られた放電空間１６に、それぞれ赤色に発光する赤色蛍光体層１５Ｒ、緑色に発光する緑色蛍光体層１５Ｇ、青色に発光する青色蛍光体層１５Ｂが順に形成されている。
【００１６】
図２は本発明の実施形態における同ＰＤＰの背面板の構成を示す斜視図である。図２に示すように、ＰＤＰの隔壁１４は、表示電極６と平行な横隔壁１４ｂと横隔壁１４ｂに直交する縦隔壁１４ａとにより井桁状に形成されており、縦隔壁１４ａは横隔壁１４ｂの高さよりも若干高くなるように形成される。
【００１７】
以上の前面板２と背面板１０とを、表示電極６とデータ電極１２とが直交し内部に微小な放電空間１６を形成するように隔壁１４を挟んで対向配置して、周囲を封着部材により封止する。その後、放電空間１６に、ＮｅおよびＸｅなどを混合した放電ガスを６６５００Ｐａ（５００Ｔｏｒｒ）程度の圧力で封入してＰＤＰを完成させ、表示電極６に映像信号電圧を選択的に印加することによって放電ガスを放電させ、それによって発生した紫外線が各色の蛍光体層１５を励起して、赤色、緑色、青色の各色を発光させることによりカラー画像を表示する。
【００１８】
図３はこのパネルの電極配列図である。行方向にｎ本の走査電極ＳＣ１〜ＳＣｎ（図１の走査電極４）およびｎ本の維持電極ＳＵ１〜ＳＵｎ（図１の維持電極５）が配列され、列方向にｍ本のデータ電極Ｄ１〜Ｄｍ（図１のデータ電極１２）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１９】
次に、パネルを駆動するための駆動電圧波形とその動作について図４を用いて説明する。図４はパネルの各電極に印加する駆動電圧波形を示す図である。
【００２０】
本実施の形態によるＰＤＰにおいては、１フィールドを複数のサブフィールドに分割し、それぞれのサブフィールドは初期化期間、書込み期間、維持期間を有している。
【００２１】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２２】
その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００２３】
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００２４】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２５】
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００２６】
書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２７】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００２８】
続くサブフィールドにおける初期化期間、書込み期間、維持期間の動作も第１サブフィールドにおける動作とほぼ同様のため、説明を省略する。
【００２９】
次に、本発明の実施の形態におけるＰＤＰ１の製造方法について説明する。まず、前面ガラス基板３上に、走査電極４および維持電極５と遮光層７とを形成する。これらは、フォトリソグラフィ法などを用いてパターニングして形成される。走査電極４および維持電極５は銀（Ａｇ）材料を含むペーストを所望の温度で焼成して固化している。また、遮光層７も同様に、黒色顔料を含むペーストをスクリーン印刷する方法や黒色顔料をガラス基板の全面に形成した後、フォトリソグラフィ法を用いてパターニングし、焼成することにより形成される。
【００３０】
次に、走査電極４、維持電極５および遮光層７を覆うように前面ガラス基板３上に誘電体ペーストをダイコート法などにより塗布して誘電体ペースト層（誘電体材料層）を形成する。誘電体ペーストを塗布した後、所定の時間放置することによって塗布された誘電体ペースト表面がレベリングされて平坦な表面になる。その後、誘電体ペースト層を焼成固化することにより、走査電極４、維持電極５および遮光層７を覆う誘電体層８が形成される。なお、誘電体ペーストはガラス粉末などの誘電体材料、バインダおよび溶剤を含む塗料である。次に、誘電体層８上に酸化マグネシウム（ＭｇＯ）からなる保護層９を真空蒸着法により形成する。以上の工程により前面ガラス基板３上に所定の構成物（走査電極４、維持電極５、遮光層７、誘電体層８、保護層９）が形成され、前面板２が完成する。
【００３１】
一方、背面板１０は次のようにして形成される。まず、背面ガラス基板１１上に、銀（Ａｇ）材料を含むペーストをスクリーン印刷する方法や、金属膜を全面に形成した後、フォトリソグラフィ法を用いてパターニングする方法などによりデータ電極１２用の構成物となる材料層を形成し、それを所望の温度で焼成することによりデータ電極１２を形成する。次に、データ電極１２が形成された背面ガラス基板１１上にダイコート法などによりデータ電極１２を覆うように誘電体ペーストを塗布して誘電体ペースト層を形成する。その後、誘電体ペースト層を焼成することにより下地誘電体層１３を形成する。なお、誘電体ペーストはガラス粉末などの誘電体材料とバインダおよび溶剤を含んだ塗料である。
【００３２】
次に、下地誘電体層１３上に隔壁材料を含む隔壁形成用ペーストを塗布して所定の形状にパターニングすることにより、隔壁材料層を形成した後、焼成することにより隔壁１４を形成する。ここで、下地誘電体層１３上に塗布した隔壁用ペーストをパターニングする方法としては、フォトリソグラフィ法やサンドブラスト法を用いることができる。次に、隣接する隔壁１４間の下地誘電体層１３上および隔壁１４の側面に蛍光体材料を含む蛍光体ペーストを塗布し、焼成することにより蛍光体層１５（それぞれ赤色蛍光体層１５Ｒ、緑色蛍光体層１５Ｇ、青色蛍光体層１５Ｂ）が形成される。以上の工程により、背面ガラス基板１１上に所定の構成部材を有する背面板１０が完成する。
【００３３】
このようにして所定の構成部材を備えた前面板２と背面板１０とを走査電極４とデータ電極１２とが直交するように対向配置して、その周囲をガラスフリットで封着し、放電空間１６にＮｅ、Ｘｅなどを含む放電ガスを封入することによりＰＤＰ１が完成する。
【００３４】
次に本発明の実施の形態におけるＰＤＰ１の表示電極について説明する。従来技術においては、図５に示すように走査電極４および維持電極５は１本ずつ交互に配置される構造が一般的である（以下、ＡＢＡＢ構造とする）。この場合、電圧印加時に放電セルｉ個目の維持電力ＳＵｉと放電セルｉ＋１個目の走査電極ＳＣｉ＋１が隣接することになる。これによってこれらの電極間に電位差が発生しその箇所がコンデンサーと同じ状態となることで、放電に関与しない電荷蓄積が発生する。これは無効電力となり、消費電力を上げている原因の１つとなっている。
【００３５】
そのため本発明の実施の形態では、無効電力削減のため図６に示すような構造とする技術を用いている。つまり、走査電極４および維持電極５を２本ずつ交互に配置した構造となる（以下、ＡＢＢＡ構造とする）。これによって、放電セルｉ個目とｉ＋１個目での隣接間の電極の配置が、維持電力ＳＵｉおよび維持電極ＳＵｉ＋１、あるいは走査電極ＳＣｉおよび走査電極ＳＵｉ＋１となる。そのためそれら電極間は同電位となることで電位差発生による無効電力を解消することが出来る。
【００３６】
次に、本実施の形態によるＰＤＰの特徴部分について詳細に説明する。従来技術において、前面ガラス基板３に形成される走査電極４と遮光層７の線中心距離と、維持電極５と遮光層７の線中心距離とは、同じ距離であることが一般的である。そのため、前面板２と背面板１０を対向配置して貼り合わせた場合、前面板３の表示電極６部分と背面板１０の隔壁１４部分で接触する。
【００３７】
特に、上記のように縦隔壁１４ａが横隔壁１４ｂよりも高く形成した場合は、縦隔壁１４ａの部分で接触することになる。この場合、ＰＤＰ１の搬送時などで発生する振動や衝撃により、接触部分にて隔壁１４のチッピングが発生し、欠けた部分周辺の放電電極上へ蛍光体が飛散して付着する。この結果、その箇所の必要放電電圧が変化し、当該放電セルの不灯などの表示不良となる。
【００３８】
この課題に対して発明者らは発生状況を調査した結果、以下のような現象を見出した。隔壁１４はフォトリソグラフィ法を用いて形状形成する。その後、焼成工程を経て形成されるが、この焼成工程の際に焼成による体積収縮（以下、シュリンクとする）が発生する。そのシュリンクは隔壁１４の構造および場所に依存した高さ方向へのシュリンク量の差を有している。
【００３９】
さらにそのメカニズムを解析したところ、横隔壁１４ｂの頂部幅Ｗを変更することにより、縦隔壁１４ａに発生する凹部の位置・大きさを制御することが可能であることを見出した。また、隔壁１４に当接する前面板２の表示電極６が形成されている箇所についても、その表示電極６の厚さ・幅・位置によって、その上に形成される誘電体層８が変化させ、それによって生じる凸部を制御することを見出した。
【００４０】
よって上記の隔壁１４の凹部を制御する方法と、誘電体層８の凸部を制御する方法を用いることで、前面板２と背面板１０との当接箇所の衝撃を緩和することが可能となる。
【００４１】
また、発明者等はチッピングによって不灯などの画像の表示不良を発生頻度についても検討した。その結果、同形状の走査電極４と維持電極５を形成したとしても、不灯となる確率は、走査電極４よりも維持電極５の方が高く、３倍程度にまで達することを見出した。
【００４２】
これらの結果から、本発明の実施の形態では、縦隔壁１４ａに発生する凹部位置を推測し、凹部が発生した箇所へ、チッピングにより不灯になり易い電極である維持電極４による凸部を当接することで、前面板３と背面板１０との接触による衝撃を緩和する。これによって不灯などの表示不良の発生を低減することが出来る。
【００４３】
次に、上記の方法によって、不灯発生を低減することの出来る形態を図７〜図１１を用いて説明する。本発明の実施の形態におけるＰＤＰ１の表示電極６の配線方向を紙面の垂直方向とした断面図の一部を図７に示す。そして本発明の実施の形態での前面板２の表示電極４および遮光層７、さらに背面板１０の縦隔壁１４ａおよび横隔壁１４ｂの平面図の一部を図８に示す。
【００４４】
図７、８に示すように、本発明の実施の形態ではＡＢＢＡ構造であるため、隣接する維持電極５の間隙あるいは隣接する走査電極４の間隙に遮光層７が形成されている。ここで、直近の維持電極５と遮光層７の線中心間の距離Ｄ１、直近の走査電極４と遮光層７の線中心間の距離Ｄ２、および横隔壁１４ｂの頂部幅Ｗとの関係を検討する。
【００４５】
発明者等の検討の結果、縦隔壁１４ａの凹部の位置は、横隔壁１４ｂの線中心から線対称に形成され、横隔壁１４ｂの線中心からその凹部の中心までの距離Ｌは、横隔壁１４ｂの頂部幅Ｗを用いて、０．５Ｗ≦Ｌ≦２Ｗの関係を有していることが判明した。このため、距離Ｄ１、距離Ｄ２に関して、０．５Ｗ≦Ｄ１≦２Ｗ、そして、０．５Ｗ≦Ｄ２≦２Ｗ、の関係を満たす。
【００４６】
これによって、表示電極６によって形成される誘電体層７の凸部と縦隔壁１４ａの凹部とで前面板２および背面板１０を当接することができ、チッピングおよびそれによる表示不良を低減させることができる。
【００４７】
そして、さらに望ましくは、距離Ｄ１が距離Ｄ２以下となることである。これによって
前面板２と背面板１０との当接部は、走査電極４上の凸部のみとなり、維持電極５付近でのチッピングおよび不灯をさらに低減させることができる。
【００４８】
なお、上記の表示電極６の形成については、フォトリソグラフィ法にて使用する露光マスクのパターンを変更することによって所望の位置に形成することが可能である。
【００４９】
また、その他の本発明の実施の形態として図９〜図１１に示す。図９の実施の形態では走査電極４の幅を維持電極５より大きくしている。そして図１０の実施の形態では個々の放電セルに形成される走査電極４の本数を維持電極５より多くしている。これによって、表示電極６上に発生する誘電体層８の凸部の幅が増加し、走査電極４側が支配的に縦隔壁１４ａと当接する。この結果、維持電極５側での接触が大幅に軽減され、不灯を低減することができる。なお、図示はしていないが走査電極４の膜厚を維持電極５の膜厚よりも大きくすることでも同様の効果が期待できる。
【００５０】
そして、図１１の実施の形態においては、維持電極５を直線構造とはせずに、縦隔壁１４ａと交差する部分のみを遮光層７に近づける形状としている。これによって維持電極５側での縦隔壁１４ａとの接触が大幅に軽減され、不灯を低減することが出来る。
【００５１】
これらの実施の形態における表示電極６の形成については、先の実施の形態と同様にフォトリソグラフィ法にて使用する露光マスクのパターンを変更することによって所望の位置に形成することが可能である。
【００５２】
以上のように本発明のＰＤＰは、複数の表示電極と複数の遮光層を配置した前面基板と、少なくとも表示電極と略平行方向に形成した隔壁を配置した背面基板とを有し、隔壁の頂部幅Ｗと、表示電極と遮光層の線中心距離Ｄが、０．５Ｗ≦Ｄ≦２Ｗであることを特徴とする。また、表示電極は複数の走査電極と複数の維持電極とで構成され、維持電極と遮光層の線中心距離Ｄ１と、走査電極と遮光層の線中心距離Ｄ２が、Ｄ１＜Ｄ２であってもよい。そして、表示電極が、維持電極と走査電極を２本ずつ交互に配置して構成されていてもよい。
【００５３】
本発明においては、上述したように、蛍光体付着によって不灯となり易い側の電極配置などを変更することによって衝撃や振動によるちらつきや不灯を抑制し、高画質で高精細なＰＤＰを提供することができる。
【００５４】
なお、ここではＡＢＢＡ構造の表示電極６についてのみ述べたが、これに限らずＡＢＡＢ構造の表示電極６においてもある程度の効果が期待できる。この場合は隣接する走査電極４と維持電極５との誤放電を考慮する必要がある。
【００５５】
表示電極６に透明電極を用いる技術もあるが、透明電極の膜厚を考慮した場合、本発明での線中心の距離については透明電極を含むものではない。
【産業上の利用可能性】
【００５６】
本発明は、衝撃や振動によるちらつきや不灯の発生を軽減させた高画質、高精細なＰＤＰを得ることができる有用な発明である。
【図面の簡単な説明】
【００５７】
【図１】本発明の実施の形態によるプラズマディスプレイパネルの要部を示す斜視図
【図２】同パネルの背面板の要部を示す斜視図
【図３】同パネルの電極配列図
【図４】同パネルの各電極に印加する駆動電圧波形を示す波形図
【図５】プラズマディスプレイパネルの電極と隔壁の配置を示した説明図
【図６】本発明の実施の形態によるプラズマディスプレイパネルの電極と隔壁の配置を示した説明図
【図７】同パネルの要部を示す断面図
【図８】同パネルの要部を示す断面図
【図９】同パネルの電極と隔壁の配置を示した説明図
【図１０】同パネルの電極と隔壁の配置を示した説明図
【図１１】同パネルの電極と隔壁の配置を示した説明図
【符号の説明】
【００５８】
１  プラズマディスプレイパネル
２  前面板
４  走査電極
５  維持電極
６  表示電極
７  遮光層
８  誘電体層
１０  背面板
１４  隔壁
１４ａ  縦隔壁
１４ｂ  横隔壁
【図１】
2009252622.tif 000003
【図３】
2009252622.tif 000004
【図４】
2009252622.tif 000005
【図２】
2009252622.tif 000006
【図５】
2009252622.tif 000007
【図６】
2009252622.tif 000008
【図７】
2009252622.tif 000009
【図８】
2009252622.tif 000010
【図９】
2009252622.tif 000011
【図１０】
2009252622.tif 000012
【図１１】
2009252622.tif 000013